(57)【要約】【課題】しっかりとコンクリート型枠を支持することができ、簡単な構造で構成することができるコンクリート型枠支持装置を提供する。【解決手段】コンクリート型枠支持装置１０は、ベランダのコンクリート型枠１００における立ち壁用の外側型枠１２０を支持するものである。コンクリート型枠支持装置１０は、コンクリート型枠１００から外側に向かって水平に延びる根太用端太材１１１に固定されると共に、外側型枠１２０の下端の桟木１２４を前端にて支持する下部固定部２０と、下部固定部２０から立設され、外側型枠１２０の上部を支持する支柱部３０とを備えている。【選択図】図３
2020128634.tif 000002
【特許請求の範囲】
【請求項１】
コンクリート型枠における立ち壁用の外側型枠を支持するコンクリート型枠支持装置であって、
前記コンクリート型枠から外側に向かって水平に延びる根太用端太材に固定されると共に、前記外側型枠の下端の桟木を前端にて支持する下部固定部と、
前記下部固定部から立設され、前記外側型枠の上部を支持する支柱部とを備えたコンクリート型枠支持装置。
【請求項２】
前記下部固定部は、前記根太用端太材の上面に配置され、前記支柱部が立設された底板部と、前記根太用端太材に固定される固定用脚部と、前記底板部の前端に形成された桟木用支持部とを備え、
前記桟木用支持部は、前記底板部の前端から立ち上がり、前記外側型枠の下端の桟木に突き当たる突き当て部と、前記突き当て部から水平方向に向かうように折れ曲げて形成された押さえ部とから形成された請求項１記載のコンクリート型枠支持装置。
【請求項３】
前記押さえ部には、前記外側型枠の桟木に釘留めするための貫通孔が形成された請求項２記載のコンクリート型枠支持装置。
【請求項４】
前記支柱部は、前記底板部の中央部に立設され、
前記底板部の後端部に、前記根太用端太材の被さる断面コ字状の補助脚が形成された請求項２または３記載のコンクリート型枠支持装置。
【請求項５】
前記底板部と前記桟木用支持部とに跨ってそれぞれの上面にリブ部が立設された請求項２から４のいずれかの項に記載のコンクリート型枠支持装置。
【請求項６】
前記支柱部の下端に、前記リブ部が貫通するスリットが形成された請求項５記載のコンクリート型枠支持装置。
【請求項７】
前記下部固定部は、根太用端太材の上面に位置する第１底板部と、前記第１底板部から上方に向かって折れ曲がった後に、床用下型枠の厚み分の高さから水平方向に向かって折れ曲がった第２底板部とを備えた請求項１から６のいずれかの項に記載のコンクリート型枠支持装置。
【請求項８】
前記支柱部の上部に、前記外側型枠の上部に配置された端太材を把持する上部支持部が配置された請求項１から７のいずれかの項に記載のコンクリート型枠支持装置。
【請求項９】
前記上部支持部が配置された位置の前記支柱部は、左右方向に向く側面が、前記支柱部の中心軸線に面するように形成され、
前記上部支持部は、前記中心軸線に位置するように配置された請求項８記載のコンクリート型枠支持装置。
【発明の詳細な説明】
【技術分野】
【０００１】
本発明は、立ち壁をコンクリートにより形成するための型枠を支持するコンクリート型枠支持装置に関するものである。
【背景技術】
【０００２】
例えば、ベランダの床と、床の端部から立ち上がる立ち壁とは、コンクリート型枠にコンクリートを打設して形成される。立ち壁を形成するための型枠はコンクリートを打設したときの圧力によりずれが生じることがあるため、ベランダサポートと称される支持棒を床の配筋から立ち壁の内側型枠に延ばして、型枠を支持させている。
しかし、ベランダサポートでは、コンクリートが固化した後に、ベランダサポートを撤去すると、床に穴が残ってしまうため、埋め直しをしなければならない。
【０００３】
そこで、ベランダの立ち壁用のコンクリート型枠における内側型枠を支持するものではなく、外側型枠を支持するコンクリート型枠支持装置が特許文献１にて提案されている。
特許文献１には、ベランダ手摺の外側に張り出したスラブ受用端太材に垂直に立設固定する支柱を設け、この支柱とベランダ手摺構築用の型枠とを連結する伸縮自在な支持金具を支柱の側部に高さ調整自在に設け、支柱が支柱の下端と直交する水平材と、支柱および水平材を連結固定する補強材とを備えており、この補強材の下部側面でベランダ手摺構築用の型枠の下端部を押圧固定するベランダ用型枠支持装置が記載されている。
【先行技術文献】
【特許文献】
【０００４】
【特許文献１】実開昭６３−８５７５４号公報
【発明の概要】
【発明が解決しようとする課題】
【０００５】
しかし、特許文献１に記載のベランダ用型枠支持装置では、支柱の側面から斜め下方に延び手摺外壁面の下端に当接する補強材であり、支柱とほぼ同じ太さの棒状部材により形成された補強材が、支柱に取り付けられている。
【０００６】
従って、補強材が支柱に取り付けられている分、装置の重量が重くなり、装置を搬送するときには嵩張り、現場での設置が煩雑である。
【０００７】
そこで本発明は、しっかりとコンクリート型枠を支持することができ、簡単な構造で構成することができるコンクリート型枠支持装置を提供することを目的とする。
【課題を解決するための手段】
【０００８】
本発明のコンクリート型枠支持装置は、コンクリート型枠における立ち壁用の外側型枠を支持するコンクリート型枠支持装置であって、前記コンクリート型枠から外側に向かって水平に延びる根太用端太材に固定されると共に、前記外側型枠の下端の桟木を前端にて支持する下部固定部と、前記下部固定部から立設され、前記外側型枠の上部を支持する支柱部とを備えたことを特徴とする。
【０００９】
本発明のコンクリート型枠支持装置によれば、下部固定部が、根太用端太材に固定されると共に、下部固定部の前端に位置する桟木用支持部が、外側型枠の桟木を支持する。従って、本発明のコンクリート型枠支持装置は、しっかりとコンクリート型枠を支持することができる。また、外側型枠の桟木を支持する桟木用支持部が下部固定部の前端に形成されているため、簡単な構成とすることができる。
【００１０】
前記下部固定部は、前記根太用端太材の上面に配置され、前記支柱部が立設された底板部と、前記根太用端太材に固定される固定用脚部と、前記底板部の前端に形成された桟木用支持部とを備え、前記桟木用支持部は、前記底板部の前端から立ち上がり、前記外側型枠の下端の桟木に突き当たる突き当て部と、前記突き当て部から水平方向に向かうように折れ曲げて形成された押さえ部とから形成されたものとすることができる。
桟木用支持部の突き当て部が外側型枠の下端の桟木に突き当てられ、底板部が根太用端太材に固定されているため、外側型枠が外側方向に押されることを阻止することができる。また、桟木用支持部の押さえ部が桟木を押さえているため、外側型枠の浮き上がりを阻止することができる。
【００１１】
前記押さえ部に、前記外側型枠の桟木に釘留めするための貫通孔を形成することができる。押さえ部を桟木に釘留めすることができるため、外側型枠の浮き上がりを確実に阻止することができる。
【００１２】
前記支柱部は、前記底板部の中央部に立設すると共に、前記底板部の後端部に、前記根太用端太材の被さる断面コ字状の補助脚が形成されたものとすることができる。外側型枠の押圧により支柱部に軸回転する応力が作用しても、補助足部が底板部の後端部の回転を防止するため、しっかりと外側型枠の移動を阻止することができる。
【００１３】
前記底板部と前記桟木用支持部とに跨ってそれぞれの上面にリブ部が立設されたものとすることができる。外側型枠が外側に移動しようして桟木用支持部を押圧しても、リブ部が、底板部と桟木用支持部とを補強するため、底板部および桟木用支持部の変形を防止することができる。
【００１４】
前記支柱部の下端に、前記リブ部が貫通するスリットを形成することができる。支柱部の下端にスリットにリブ部が貫通しているため、支柱部を安定した状態で立設させることができる。
【００１５】
前記下部固定部は、根太用端太材の上面に位置する第１底板部と、前記第１底板部から上方に向かって折れ曲がった後に、床用下型枠の厚み分の高さから水平方向に向かって折れ曲がった第２底板部とを備えることができる。
床用下型枠が外側型枠から外側に突出していても、第１底板部を根太用端太材にしっかりと固定させることができ、桟木用支持部により外側型枠の桟木を支持させることができる。
【００１６】
前記支柱部の上部に、前記外側型枠の上部に配置された端太材を把持する上部支持部を配置することができる。支柱部の上部に配置された上部支持部が端太材を把持して保持しているため、外側型枠の上部が内側方向への移動しようとしても、その移動を防止することができる。
【００１７】
前記上部支持部が配置された位置の前記支柱部が、左右方向に向く側面が、前記支柱部の中心軸線に面するように形成され、前記上部支持部は、前記中心軸線に位置するように配置されたものとすることができる。上部支持部が、支柱部の中心軸線に位置しているため、支柱部の左右方向の中心に対して偏り無く応力を作用させることができる。従って、外側型枠の移動に応じて上部支持部が引っ張られても、支柱部を軸回転し難くすることができる。
【発明の効果】
【００１８】
本発明のコンクリート型枠支持装置によれば、しっかりとコンクリート型枠を支持することができ、簡単な構造で構成することができる。よって、本発明のコンクリート型枠支持装置は、軽量に構成することができ、搬送時には嵩張らず、設置も容易である。
【図面の簡単な説明】
【００１９】
【図１】本発明の実施の形態１に係るコンクリート型枠支持装置を示す図であり、（Ａ）は斜め前方から見た斜視図であり、（Ｂ）は斜め後方から見た斜視図である。
【図２】図１に示すコンクリート型枠支持装置が設置されたベランダの施工状態を説明するための図である。
【図３】図２に示すベランダの施工状態を説明するための図からコンクリート型枠支持装置を含む範囲を拡大した図である。
【図４】図３に示すベランダの施工状態の変形例である。
【図５】本発明の実施の形態２に係るコンクリート型枠支持装置を示す図であり、（Ａ）は斜め前方から見た斜視図であり、（Ｂ）は右側面図である。
【図６】図５に示すコンクリート型枠支持装置が設置された状態を説明するための図である。
【発明を実施するための形態】
【００２０】
（実施の形態１）
本発明の実施の形態１に係るコンクリート型枠支持装置を図面に基づいて説明する。本実施の形態では、ベランダを形成するコンクリート型枠を例に説明する。なお、本明細書においては、コンクリート型枠支持装置の位置からベランダを形成するためのコンクリート型枠の外側型枠へ向かう側を前、反対側を後ろとして説明する。
【００２１】
図１（Ａ）および同図（Ｂ）に示すコンクリート型枠支持装置１０は、ベランダのコンクリート型枠における立ち壁用の外側型枠を支持するものである。
実施の形態１に係るコンクリート型枠支持装置１０は、例えば、金属製の手摺柵などが上面に設置される立ち壁であり、高さが低い立ち壁を形成するためのコンクリート型枠を支持するものである。
【００２２】
コンクリート型枠支持装置１０は、下部固定部２０と、支柱部３０とを備えている。
下部固定部２０は、コンクリート型枠から外側に向かって水平に延びる根太用端太材に固定されると共に、外側型枠の下端の桟木を前端にて支持するものである。
【００２３】
下部固定部２０は、底板部２１と、固定用脚部２２と、リブ部２３と、桟木用支持部２４と、補助足部２５を備えている。
底板部２１は、根太用端太材の上面と、立ち壁から突出した床用下型枠の上面とに配置される。底板部２１は、根太用端太材の上面に位置する第１底板部２１１と、第１底板部２１１から上方に向かって折れ曲がった後に、床用下型枠の厚み分の高さから水平方向に向かって折れ曲がった第２底板部２１２とを備えている。
【００２４】
固定用脚部２２は、断面コ字状に形成されている。固定用脚部２２は、底板部２１の中央部の位置で、根太用端太材の両側部から下方に向かって延びるように形成されている。
固定用脚部２２の下部２２ａには、縦長のスリット２２１が形成されている。
また、固定用脚部２２には、スリット２２１に挿入して、コンクリート型枠支持装置１０を根太用端太材に固定するための台形状の楔２６が、ワイヤ２６ａにより連結されている。
リブ部２３は、底板部２１と桟木用支持部２４とに跨って、それぞれの上面に立設されている。
【００２５】
桟木用支持部２４は、下部固定部２０の前端に形成され、コンクリート型枠における外側型枠の桟木を支持する。桟木用支持部２４は、第２底板部２１２（底板部２１）の前端から立ち上がり、外側型枠の下端の桟木に突き当たる突き当て部２４１と、突き当て部２４１から水平方向に向かうように折れ曲げて形成された押さえ部２４２とから形成されている。
押さえ部２４２には、釘を打ち込み、桟木に固定するための貫通孔２４２ａが、リブ部２３を挟んで両側に形成されている。
補助足部２５は、下方に向かって開く断面コ字状に、固定用脚部２２より短く形成されている。補助足部２５は、底板部２１の後端部に位置し、根太用端太材に被さるように形成される。
【００２６】
支柱部３０は、下部固定部２０の第１底板部２１１から立設され、第１底板部２１１に固定されている。支柱部３０は、約４０ｃｍから約５０ｃｍの四角棒状に形成されている。支柱部３０の下端は、スリット３０ａが形成され、リブ部２３が貫通している。
【００２７】
以上のように構成された本発明の実施の形態１に係るコンクリート型枠支持装置１０の使用状態を図面に基づいて説明する。
なお、ベランダは、下階から順番に施工されるため、下階のベランダは施工済であり、図２および図３においては、コンクリート型枠における立ち壁の内側型枠は省略されている。
【００２８】
図２および図３に示すように、コンクリート型枠支持装置１０は、床用下型枠１１０から、水平に、かつ外側に向かって突出した根太用端太材１１１に配置される。根太用端太材１１１は、コンクリート型枠１００の床用下型枠１１０を支持しており、下階のベランダＢから延びるサポート器具１３０により支持されている。コンクリート型枠１００の外側型枠１２０は、上部の桟木１２１が横端太材１２２により支持されている。
また、本実施の形態１では、横端太材１２２から、設置されるコンクリート型枠支持装置１０の支柱部３０に向かって、切梁１２３ａが配置されており、桟木１２１と横端太材１２２と切梁１２３ａとのそれぞれの上面に跨る桟木１２３ｂが、桟木１２１と切梁１２３ａとに釘留されて、切梁１２３ａを固定している。
【００２９】
コンクリート型枠支持装置１０を根太用端太材１１１に配置するときには、固定用脚部２２および補助足部２５が根太用端太材１１１に跨るようにコンクリート型枠支持装置１０を根太用端太材１１１に載せる。次に、桟木用支持部２４の突き当て部２４１を外側型枠１２０の下端の桟木１２４に突き当てることで、押さえ部２４２を桟木１２４の上面に位置させる。
【００３０】
次に、固定用脚部２２のスリット２２１に楔２６を挿入して金槌などにより楔２６を打ち込み、固定用脚部２２を根太用端太材１１１に拘束状態とすることで、コンクリート型枠支持装置１０を根太用端太材１１１に固定する。
そして、桟木用支持部２４の押さえ部２４２に形成された貫通孔２４２ａ（図１参照）に釘１３１を打ち付け、外側型枠１２０の桟木１２４に桟木用支持部２４を固定する。
【００３１】
コンクリート型枠支持装置１０が設置されると、支柱部３０が切梁１２３ａおよび桟木１２３ｂに少しの隙間を介した状態で、または隙間なく接触した状態で、支柱部３０が位置する。
【００３２】
図２に示すように、梁を形成する型枠１２７にコンクリートが打設されると、コンクリートはベランダの床用下型枠１１０側へ広がり、立ち壁用型枠へ流れ込む。このとき、外側型枠１２０がコンクリートの流動により押圧される。
この押圧により、外側型枠１２０は、下部および上部ともに外側に向かって移動しようとする。
【００３３】
しかし、図３に示すように、コンクリート型枠支持装置１０は、桟木用支持部２４の突き当て部２４１が外側型枠１２０の下端の桟木１２４に突き当てられており、底板部２１が根太用端太材１１１に固定されているため、外側型枠１２０が外側方向に押されることを阻止することができる。
【００３４】
また、支柱部３０の上部が、切梁１２３ａと横端太材１２２とを介して外側型枠１２０の桟木１２１を押圧支持するため、外側型枠１２０が外側方向に押されることを阻止することができる。
更に、桟木用支持部２４の押さえ部２４２が桟木１２１を押さえているため、外側型枠１２０の浮き上がりを阻止することができる。また、押さえ部２４２が桟木１２１に釘留めされているため、外側型枠１２０の浮き上がりを確実に阻止することができる。
【００３５】
このように、本実施の形態１に係るコンクリート型枠支持装置１０によれば、下部固定部２０が、根太用端太材１１１に固定されると共に、下部固定部２０の前端に位置する桟木用支持部２４が、コンクリート型枠１００における外側型枠１２０の桟木１２１を支持する。
【００３６】
そのため、コンクリート型枠支持装置１０は、しっかりとコンクリート型枠１００を支持することができる。また、外側型枠１２０の桟木１２４を支持する桟木用支持部２４が下部固定部２０の前端に形成されているため、特許文献１に記載のベランダ用型枠支持装置のように、太い棒状部材により形成され、支柱の側面から斜め下方に延びて手摺外壁面の下端に当接する補強材を形成する必要がない。
【００３７】
従って、コンクリート型枠支持装置１０は、しっかりとコンクリート型枠１００を支持することができ、簡単な構造で構成することができる。
よって、コンクリート型枠支持装置１０は、特許文献１に記載のベランダ用型枠支持装置と比較して軽量に構成することができ、搬送時には嵩張らず、設置も容易である。
【００３８】
また、図１（Ａ）および同図（Ｂ）に示すように、下部固定部２０が、根太用端太材１１１の上面に位置する第１底板部２１１と、第１底板部２１１から上方に折れ曲がった後に、床用下型枠１１０の厚み分の高さから水平方向に向かって折れ曲がって形成された第２底板部２１２と、下部固定部２０の前端に形成され、コンクリート型枠における外側型枠１２０（図３参照）の桟木１２４を支持する桟木用支持部２４とを備えている。
そのため、床用下型枠１１０が外側型枠１２０から外側に突出していても、第１底板部２１１を根太用端太材１１１にしっかりと固定させることができ、桟木用支持部２４により外側型枠１２０の桟木１２４を支持させることができる。
【００３９】
また、リブ部２３が、底板部２１と桟木用支持部２４とに跨って、それぞれの上面に立設され、支柱部３０の下端にスリット３０ａが形成され、リブ部２３が貫通している。そのため、図３に示す外側型枠１２０が外側に移動しようして桟木用支持部２４を押圧しても、リブ部２３が、底板部２１と桟木用支持部２４とを補強する。従って、底板部２１および桟木用支持部２４の変形を防止することができる。また、支柱部３０の下端にスリット３０ａにリブ部２３が貫通しているため、支柱部３０を安定した状態で立設させることができる。
【００４０】
固定用脚部２２は、底板部２１の中央部の位置で、根太用端太材１１１の両側部から下方に向かって延びるように形成され、底板部２１の後端部に、補助足部２５が、根太用端太材１１１の両側部から下方に向かって延びるように形成されている。そのため、外側型枠１２０の押圧により支柱部３０に軸回転する応力が作用しても、補助足部２５が底板部２１の後端部の回転を防止するため、しっかりと外側型枠１２０の移動を阻止することができる。
【００４１】
更に、支柱部３０の上部は、桟木１２１と横端太材１２２と切梁１２３ａと、それぞれの上面に跨る桟木１２３ｂとより、外側型枠１２０を支持しているが、図４に示すように、横端太材１２２と支柱部３０との間に、脱落を防止するための顎部が形成された桟木１２３ｃを設けるようにしてもよい。
【００４２】
（実施の形態２）
本発明の実施の形態２に係るコンクリート型枠支持装置を図面に基づいて説明する。本実施の形態２に係るコンクリート型枠支持装置は、例えば、立ち壁としてコンクリート製の手摺壁を形成するコンクリート型枠を支持するものである。
なお、図５および図６においては、図１から図３と同じ構成のものは同符号を付して説明を省略する。
【００４３】
図５（Ａ）および同図（Ｂ）に示すように、コンクリート型枠支持装置１１は、支柱部３１が下部固定部２０に立設されている。支柱部３１は、下部３１ａより上部３１ｂが細く形成されており、左右方向Ｆ２に向く上部３１ｂの側面３１ｃが支柱部３１の中心軸線に面するように形成されている。
本実施の形態２では、下部３１ａが四角棒状に形成され、上部３１ｂが下部３１ａの四角形から一方の側部を潰した（押圧変形させた）三角棒状に形成されている。
つまり、上部３１ｂを平面視した形状は、四角形から対角線を境に半分切り取ったような三角形に形成されていることで、上部３１ｂの側面が支柱部３１の中心軸線に面するように形成されている。
【００４４】
支柱部３１は、高さが高い立ち壁用として、下部３１ａが約８０ｃｍ、上部３１ｂが約６０ｃｍ、合計約１４０ｃｍの長さに形成されている。
支柱部３１は、四角棒状に形成された下部３１ａの対角線が前後方向Ｆ１に向くように下部固定部２０に配置されている。
そして、支柱部３１の上部３１ｂには、上部支持部４０が配置されている。
【００４５】
上部支持部４０は、支柱部３１の上部３１ｂから外側型枠の上部を支持するものである。上部支持部４０は、支柱部３１に固定するための取付部４１と、取付部４１に螺合して取付部４１からの突出量が調整されるねじ部４２と、ねじ部４２の前端に形成され、外側型枠の上部に配置された端太材を把持する把持部４３とを備えている。
【００４６】
取付部４１は、支柱部３１を挿通させ、支柱部３１に固定される固定部４１１と、ねじ部４２を挿通させ、保持する保持部４１２とを備えている。
ねじ部４２は、ねじ山が周面に形成されたねじ棒部４２１と、ねじ棒部４２１が回転自在に連結され、把持部４３に接合された円盤状の接合部４２２とを備えている。
把持部４３は、外側型枠の端太材（横端太材）に引っ掛けるために逆Ｊ字状に形成されている。
【００４７】
支柱部３１における上部３１ｂの側面３１ｃが支柱部３１の中心軸線に面しているため、上部支持部４０が、支柱部３１の中心軸線に位置しており、上部３１ｂに配置された上部支持部４０のねじ部４２が、支柱部３１の中心軸線から外側型枠に向かって直交する方向へ延びるように配置される。
【００４８】
以上のように構成された本発明の実施の形態２に係るコンクリート型枠支持装置１１の使用状態について図面に基づいて説明する。
本実施の形態２では、図６に示すように、コンクリート型枠１０１の立ち壁用型枠は、外側型枠１２５と、内側型枠１２６との間に、セパレータ１２８ａおよびＰコン１２８ｂが配置され、その間隔が確保されている。
外側型枠１２５は、上下方向に延びる桟木１２５ａを左右方向Ｆ２（横方向）に延びる横端太材１１２により支持されている。
【００４９】
図６に示すようにコンクリート型枠支持装置１１は、図３に示すコンクリート型枠支持装置１０と同様に、根太用端太材１１１に配置され、外側型枠１２５の左右方向Ｆ２（図５参照）に延びる桟木１２５ｂであって、外側型枠１２５の下端の桟木１２５ｂに桟木用支持部２４が釘留めされている。
そして、上部支持部４０の把持部４３を横端太材１１２に掛け、ねじ部４２のねじ棒部４２１を回転して支柱部３１が垂直な状態となるよう調整する。このようにしてコンクリート型枠支持装置１１が配置される。
【００５０】
ベランダを形成するためのコンクリートがコンクリート型枠１０１に打設されると、コンクリートは床用下型枠１１０を流れ、立ち壁用型枠（外側型枠１２５，内側型枠１２６）へ流れ込む。このとき、外側型枠１２５がコンクリートの流動により押圧される。
図６に示す実施の形態２の立ち壁は、図３に示す実施の形態１の立ち壁より高さが高いため、コンクリートの流動による押圧は、外側型枠１２０の下部が外側に向かって押されるが、反対に外側型枠１２０の上部は、内側へ向かって移動しようとする。
【００５１】
しかし、コンクリート型枠支持装置１１では、支柱部３１の上部３１ｂに配置された上部支持部４０が横端太材１１２を把持して保持しているため、外側型枠１２５の上部が内側方向への移動することを防止することができる。
そのため、コンクリート型枠支持装置１１は、高さが高い立ち壁であっても、しっかりとコンクリート型枠１００を支持することができる。
【００５２】
また、外側型枠１２５の上部が外側へ移動しようする際に、外側型枠１２５の下部は内側方向への移動と共に浮き上がろうとする。
しかし、コンクリート型枠支持装置１１では、桟木用支持部２４の押さえ部２４２が桟木１２５ｂを押さえているため、外側型枠１２５の浮き上がりを阻止することができる。また、押さえ部２４２が桟木１２５ｂに釘留めされているため、外側型枠１２５の浮き上がりを確実に阻止することができる。
【００５３】
更に、支柱部３１の上部３１ｂに配置された上部支持部４０のねじ部４２が、支柱部３１の中心軸線から直交する方向（横端太材１１２へ向かう方向）へ延びるように配置されているため、外側型枠１２５の移動に応じて、支柱部３１の左右方向Ｆ２の中心に対して偏り無く応力を作用させることができる。
従って、外側型枠１２５の移動に応じて上部支持部４０が引っ張られても、支柱部３１を軸回転し難くすることができる。
【００５４】
以上、本実施の形態１，２に係るコンクリート型枠支持装置１０，１１を説明したが、本発明は、上記実施の形態に限定されない。
例えば、図１に示す底板部２１は、第１底板部２１１と第２底板部２１２とを備えていたが、床用下型枠が外側型枠よりはみ出していなければ第２底板部２１２による段差は不要である。
また、固定用脚部２２と補助足部２５とは別体により形成されていたが、一体的に形成されていてもよい。
【００５５】
更に、図５に示す支柱部３１は、上部３１ｂ全体が三角棒状に形成されていたが、左右方向Ｆ２に向く上部３１ｂの側面３１ｃであって、上部支持部４０が配置された位置の側面３１ｃだけが、支柱部３１の中心軸線に面するように形成されていればよい。
【００５６】
本実施の形態１，２では、立ち壁用の外側型枠がベランダにおけるコンクリート型枠を例に説明したが、ベランダだけでなく、例えば、廊下や庇、その他の立ち壁などを形成する際の立ち壁用のコンクリート型枠でも、本発明を適用することが可能である。
【産業上の利用可能性】
【００５７】
本発明のコンクリート型枠支持装置は、立ち壁をコンクリート型枠により形成する際に好適である。
【符号の説明】
【００５８】
１０，１１  コンクリート型枠支持装置
２０  下部固定部
２１  底板部
２１１  第１底板部
２１２  第２底板部
２２  固定用脚部
２２ａ  下部
２２１  スリット
２３  リブ部
２４  桟木用支持部
２４１  突き当て部
２４２  押さえ部
２４２ａ  貫通孔
２５  補助足部
２６  楔
２６ａ  ワイヤ
３０，３１  支柱部
３０ａ  スリット
３１ａ  下部
３１ｂ  上部
３１ｃ  側面
４０  上部支持部
４１  取付部
４１１  固定部
４１２  保持部
４２  ねじ部
４２１  ねじ棒部
４２２  接合部
４３  把持部
１００，１０１  コンクリート型枠
１１０  床用下型枠
１１１  根太用端太材
１１２  横端太材
１２０，１２５  外側型枠
１２１  桟木
１２２  横端太材
１２３ａ  切梁
１２３ｂ  桟木
１２４  桟木
１２５ａ，１２５ｂ  桟木
１２６  内側型枠
１２７  型枠
１２８ａ  セパレータ
１２８ｂ  Ｐコン
１３０  サポート器具
１３１  釘
Ｂ  ベランダ
Ｆ１  前後方向
Ｆ２  左右方向
【図１】
2020128634.tif 000003
【図２】
2020128634.tif 000004
【図３】
2020128634.tif 000005
【図４】
2020128634.tif 000006
【図５】
2020128634.tif 000007
【図６】
2020128634.tif 000008